(57)【特許請求の範囲】
【請求項１】
段部を有する首部が胴部の上方に形成された容器と、内面が重ねられた第１シート及び第２シートを有し且つ前記両シートの一端部を接着することにより接着部が形成された首掛けラベルと、を有し、
前記第１シートの面内に、容器の首部に挿入可能な孔部が設けられ、前記第１シートの他端部に、前記第１シートの外面に起立可能な延出シート片が設けられており、
前記接着部の内縁又はその内縁近傍における第１シートの面内には、折り目が形成されておらず、
一端部において接着された前記第１シート及び第２シートを、前記両シートの他端部が離反する方向に開くと共に、前記開いた第１シートの内面を下側に向けた状態で、前記第１シートの孔部が容器の首部に挿入され、且つ、前記延出シート片が第１シートの外面から起立して前記容器の段部に係止されており、
前記開いた第２シートの内面の一部分が容器に接し、
前記開いた第１シートと第２シートに、シートの剛性によって閉じる方向に力が働いていることを特徴とする首掛けラベル付き容器。
【請求項２】
前記第１シートの一端部が容器から離れる方向に前記第１シートを付勢する、付勢シート片を有する請求項１に記載の首掛けラベル付き容器。
【発明の詳細な説明】
【技術分野】
【０００１】
本発明は、宣伝広告効果を高めるために首掛けラベルが装着された首掛けラベル付き容器に関する。
【背景技術】
【０００２】
従来、宣伝広告効果を高める目的で、商品名、懸賞案内などの各種広告を表示した首掛けラベル（掛止ラベルなどとも呼ばれる）が、容器の首部に装着されている。
【０００３】
例えば、特許文献１には、第１基材１０と第２基材１１が縦方向に形成される２条の所定幅の接着部１２，１３を介して接着され、第１基材１０は、中央部位に形成された切り線１で切り離し可能に構成され、第２基材１１は、前記第１基材１０の切り線に平行に形成された２本の切り線２，３と、該２本の切り線２，３の中央部に直行して形成された１本の切り線４とによってＨ形状の切り線が形成され、前記１本の切り線４を挟んで、短い切り線５，６が形成されている首掛けラベルが開示されている。
【０００４】
この特許文献１の首掛けラベルは、容器の首部に第２基材１１のＨ形状切り線を合わせ、第１基材１０及び第２基材１１の両端側を下方に引っ張ると、第２基材１１のＨ形状切り線と、第１基材１０の切り線とが開き、容器の首部に挿入できる。挿入後、第１基材１０及び第２基材１１がそれぞれ２つに分かれて立ち上がる、立ち上げ面が形成される。この立ち上げ面に商品名などを広告を印刷することにより、広告が表示された首掛けラベル付き容器を構成できる。
さらに、首掛けラベルの装着時、首掛けラベルの短い切り線５，６の部位が容器の段部に引掛かるため、容器の首部の所定位置に首掛けラベルを固定できる。
ただし、上記用語に付した符号については、特許文献１に記載のものを用いており、特許文献１の図面を適宜参照されたい。
【特許文献１】特開２００５−６２７０２号公報
【発明の開示】
【発明が解決しようとする課題】
【０００５】
しかしながら、上記従来の首掛けラベル付き容器は、その搬送中に、異物等と接触することにより、首掛けラベルの装着位置がずれたり、さらには、首掛けラベルが容器から外れる場合がある。
具体的には、上記従来の首掛けラベルは、短い切り線の部位が容器の段部に引掛かって固定されるが、該短い切り線の部位は、第２基材の面と略平行に延びる該基材の一部分であるため、容器に対する締め付け力が小さい。従って、首掛けラベル付き容器の搬送中に、装着された首掛けラベルに異物等が接触して首掛けラベルに外力が加わると、首掛けラベルの装着位置がずれ、さらには、首掛けラベルが容器から外れる場合がある。
【０００６】
本発明の目的は、首掛けラベルが容器に安定的に装着された首掛けラベル付き容器を提供することである。
【課題を解決するための手段】
【０００７】
本発明の首掛けラベル付き容器は、段部を有する首部が胴部の上方に形成された容器と、内面が重ねられた第１シート及び第２シートを有し且つ前記両シートの一端部を接着することにより接着部が形成された首掛けラベルと、を有し、前記第１シートの面内に、容器の首部に挿入可能な孔部が設けられ、前記第１シートの他端部に、前記第１シートの外面に起立可能な延出シート片が設けられており、前記接着部の内縁又はその内縁近傍における第１シートの面内には、折り目が形成されておらず、一端部において接着された前記第１シート及び第２シートを、前記両シートの他端部が離反する方向に開くと共に、前記開いた第１シートの内面を下側に向けた状態で、前記第１シートの孔部が容器の首部に挿入され、且つ、前記延出シート片が第１シートの外面から起立して前記容器の段部に係止されており、前記開いた第２シートの内面の一部分が容器に接し、前記開いた第１シートと第２シートに、シートの剛性によって閉じる方向に力が働いていることを特徴とする。
【０００８】
上記容器に装着された首掛けラベルは、前記接着部の内縁又はその内縁近傍における第１シートの面内には、折り目が形成されていないので、シートの剛性によって、前記開いた第１シートと第２シートに対して閉じる方向に力が働くようになる。このため、開いた状態で首部に挿入された第１シートは、その他端部が容器側へ引き寄せられる。第１シートの他端部が、容器側へ引き寄せられることによって、延出シート片が容器の段部に強く当たるので、延出シート片による容器に対する係止が解除され難くなる。
従って、上記本発明の首掛けラベル付き容器は、首掛けラベルが位置ずれし難く、さらに、首掛けラベルが容器から外れ難い。
【０００９】
本発明の好ましい首掛けラベル付き容器は、第１シートの一端部が容器から離れる方向に前記第１シートを付勢する、付勢シート片を有する。
【００１０】
上記本発明の好ましい首掛けラベル付き容器は、付勢シート片が、第１シートの一端部が容器から離れる方向に第１シートを付勢しているので、延出シート片が容器の段部側に引き寄せられる。このため、本発明の好ましい首掛けラベル付き容器は、首掛けラベルの位置ずれや脱落がさらに生じ難くなる。
【発明の効果】
【００１１】
本発明の首掛けラベル付き容器は、首掛けラベルの装着位置がずれ難く、さらに、首掛けラベルが容器から不用意に外れ難い。
従って、本発明によれば、首掛けラベルが容器に安定的に装着された首掛けラベル付き容器を提供できる。
【発明を実施するための最良の形態】
【００１２】
図１〜図３に於いて、１０は、段部９３を有する首部９１が胴部９２の上方に形成された容器９と、重ねられた第１シート１及び第２シート２を有する首掛けラベル３と、を有する首掛けラベル付き容器を示す。
首掛けラベル３は、第１シート１の内面と第２シート２の内面が重ねられ、その第１シート１の一端部１ａと第２シート２の一端部２ａが接着された接着部６を有する。
なお、第１シートの内面及び第２シートの内面とは、第１シートと第２シートが重ね合わされた側の面をいう。第１シートの外面及び第２シートの外面とは、前記内面とは反対側の面をいう。また、本発明において、第１シートと第２シートを合わせて「両シート」と言う場合がある。
【００１３】
前記第１シート１の面内には、容器９の首部９１に挿入可能な孔部４が設けられている。さらに、第１シート１の他端部１ｂには、第１シート１の外面に対して鋭角状に起立可能な延出シート片７が設けられている。
上記首掛けラベル３は、一端部１ａ，２ａにおいて接着された第１シート１及び第２シート２を、前記両シート１，２の他端部１ｂ，２ｂが離反する方向に開き、前記開いた第１シート１の内面を下側に向けた状態で、前記第１シート１の孔部４が容器９の首部９１に挿入されている。さらに、延出シート片７が、第１シート１の外面に対して鋭角状に起立して前記容器９の段部９３に係止されている。さらに、開かれた第２シート２の内面の一部分が容器９に接している。
以下、首掛けラベル３及び容器２に分説しつつ、本発明の首掛けラベル付き容器１０の具体的構成を明らかにする。
【００１４】
本発明の首掛けラベル３は、図４〜図６にも示すように、容器９の上部から首部９１に挿入可能な孔部４を有する第１シート１と、前記第１シート１に重ねられた第２シート２と、を有し、前記第１シート１の一方向一端部１ａと第２シート２の一方向一端部２ａが接着されている。かかる首掛けラベル３は、第１シート１と第２シート２が重なった扁平状を成している。
首掛けラベル３は、上記一方向一端部１ａ，２ａの内面が接着されていることを除いて、両シート１，２は、重ねられているだけである。従って、両シート１，２の一方向他端部１ｂ，２ｂを離反する方向に開くことができ、開いた両シート１，２は、接着された一端部１ａ，２ａを頂点とする側面視略山形状となる（図７参照）。
【００１５】
ここで、本発明において、上記一方向とは、第１シート１及び第２シート２の任意の方向をいい、他方向とは、第１シート１及び第２シート２の面内において、前記一方向と直交する方向をいう。例えば、第１シート１が、平面視略矩形状に形成されている場合には、前記一方向は、その縦辺又は横辺と平行な方向が好ましい。
【００１６】
具体的には、第１シート１及び第２シート２は、所定の平面視形状（例えば、平面視略矩形状など）に形成されている。両シート１，２は、同形に形成されていることが好ましいが、異なる形状に形成されていてもよい。また、両シート１，２は、同大に形成されていることが好ましいが、両シート１，２の何れか一方が、他方よりも大きく形成されていてもよい。
両シート１，２の大きさは、特に限定されず、装着する容器９の大きさや形状に応じて適宜設定できる。例えば、両シート１，２が平面視略矩形状に形成される場合、両シート１，２の大きさは、縦×横が３０ｍｍ〜１００ｍｍ×３０ｍｍ〜１００ｍｍ程度である。
【００１７】
両シート１，２は、その一方向一端部１ａ，２ａにおいて接着されている（接着部６）。この接着部６は、両シート１，２の他方向Ｙに伸びる所定幅の帯状に形成されている。
上記両シート１，２の一端部１ａ，２ａは、例えば、接着剤を介して接着される。なお、両シート１，２が、溶剤接着可能なシート材で構成されている場合には、溶剤接着でもよいし、熱シール可能なシート材で構成されている場合には、熱シールでもよい。
上記接着部６の幅は、特に限定されず、両シート１，２の大きさに応じて適宜設定できる。例えば、前記接着部６の幅は、３ｍｍ〜１０ｍｍ程度が好ましい。
【００１８】
第１シート１の面内には、例えば平面視略Ｈ字状の切り目５が形成されている。この切り目５は、孔部４を形成すると共に、延出シート片７及び付勢シート片８を形成するためのものである。
該切り目５は、第１シート１の他方向Ｙと略平行に伸びる有端直線状の第１切り目５１と、前記第１切り目５１の両端部に連設され且つ第１シート１の一方向Ｘと略平行に他端部１ｂ側へ伸びる有端直線状の一対の第２切り目５２，５２と、前記第１切り目５１の両端部に連設され且つ第１シート１の一方向Ｘと略平行に一端部１ａ側へ伸びる有端直線状の一対の第３切り目５３，５３と、からなる。なお、第２切り目５２の端部５２ａ及び第３切り目５３の端部５３ａは、僅かに内側へ曲がった傾斜状に形成されていてもよい。
【００１９】
上記切り目５によって、第１シート１の面内は、２つの領域７，８に区画される。
すなわち、第１シート１の面内は、その一方向他端部１ｂ側に、第１切り目５１及び一対の第２切り目５２，５２からなる略コ字状の切り目によって区画された領域７を有する。この領域７が、延出シート片７となる。該延出シート片７は、一対の第２切り目５２，５２の端部５２ａ，５２ａ間において、第１シート１に揺動可能な状態で連設されている。
他方、第１シート１の面内は、その一方向一端部１ａ側に、第１切り目５１及び一対の第３切り目５３，５３からなる略コ字状の切り目で区画された領域８を有する。この領域８が、付勢シート片８となる。該付勢シート片８は、一対の第３切り目５３，５３の端部５３ａ，５３ａ間において、第１シート１に揺動可能な状態で連設されている。
【００２０】
上記延出シート片７の面内、或いは、延出シート片７と第１シート１の連設部分には、折り罫線などの折り目を有しないことが好ましく、特に、延出シート片７の面内、或いは、延出シート片７と第１シート１の連設部分には、他方向Ｙと略平行な折り目を有しないことがより好ましい。
同様に、上記付勢シート片８の面内、或いは、付勢シート片８と第１シート１の連設部分には、折り目を有しないことが好ましく、特に、付勢シート片８の面内、或いは、付勢シート片８と第１シート１の連設部分には、他方向Ｙと略平行な折り目を有しないことがより好ましい。
なお、第１シート１の全体において、折り目を有しない（折り目が形成されていない）ことが好ましく、さらに、第２シート２の全体において、折り目を有しないことが好ましい。
【００２１】
延出シート片７の一方向長さＬ７と付勢シート片８の一方向長さＬ８は、特に限定されず、略同じ長さでもよいし、或いは、何れか一方が長くてもよい。好ましくは、付勢シート片８の一方向長さＬ８が、延出シート片７の一方向長さＬ７よりも長く形成される。付勢シート片８が長ければ、首掛けラベル１０を容器９に装着したときに、付勢シート片８が略Ｕ字状に湾曲し、容器９の首部を十分に付勢できるからである。
【００２２】
上記延出シート片７及び付勢シート片８を押し上げることによって、延出シート片７及び付勢シート片８が、第１シート１の外面に対して鋭角状に起立し得る（図７参照）。延出シート片７及び付勢シート片８を起立させることによって第１シート１の面内に生じる開口が、第１シート１に設けられた孔部４となる。
【００２３】
上記第２シート２の外面には、広告が表示されている。なお、必要に応じて、第２シート２の内面や第１シート１の内面にも、広告が表示されていてもよい。該広告表示は、商品名、懸賞案内、商品説明などの任意の表示であり、該広告表示は、従来公知の印刷法でシートに施すことができる。
【００２４】
第１シート１及び第２シート２は、適度な剛性と可撓性を有するシート材から構成されている。該シート材は、特に限定されず、紙、厚紙、合成紙、合成樹脂シート、合成樹脂発泡シート、これらの積層体、これらと他のシートの積層体などを用いることができる。好ましくは、前記シート材としては、合成紙、紙、合成樹脂シートが用いられる。紙を用いる場合には、その目付量が６０〜１５０ｇ／ｍ２程度のものが好ましい。合成紙又は合成樹脂シートを用いる場合には、その厚みが３０μｍ〜１５０μｍ程度のものが好ましい。第１シート１及び第２シート２は、同一のシート材でもよいし、材質及び／又は厚みが異なるシート材でもよい。
【００２５】
次に、容器９は、段部９３を有する首部９１と胴部９２を有していれば特に限定されず、従来公知の容器を採用できる。
なお、容器９の首部９１とは、胴部９２の上方に形成された、胴部９２よりも縮径した部分をいう。容器９の段部９３とは、首部９１の一部分の凸部又は凹部をいう。
容器９は、例えば、いわゆるＰＥＴボトルなどのボトル型容器、シャンプーなどが入れられたポンプ付き容器などが挙げられる。
図１〜図３に示す容器９は、胴部９２と、該胴部９２の上方に形成され且つ胴部よりも小径の首部９１と、該首部９１の上部に着脱可能に取り付けられたキャップ部９４と、を有するボトル型容器である。該キャップ部９４は、首部９１よりも少し大径であり、従って、該キャップ部９４の下端部に段部９３が形成されている。
【００２６】
上記容器９の首部９１に上記首掛けラベル３を下記のようにして装着することによって、本発明の首掛けラベル付き容器１０が得られる。
まず、図８に示すように、扁平状の首掛けラベル３の第１シート１と第２シート２を、前記両シート１，２の他端部１ｂ，２ｂが離反する方向に開く。この開いた第１シート１の内面を下側（容器９の上部）に向けた状態で、第１シート１の切り目５（孔部４）を容器９の上部（キャップ部９４）に位置合わせして、第１シート１の一方向両端部１ａ，１ｂを把持して押し下げることにより、第１シート１を容器９の首部９１に挿入する。すると、切り目５で区画された延出シート片７及び付勢シート片８が押し上げられ、第１シート１の面内に生じた開口（孔部４）が容器９の首部９１に挿入されると共に、延出シート片７の先端部７ａが、容器９の段部９３に係止され、且つ付勢シート片８の先端部８ａが、前記延出シート片７と対応する位置において容器９の段部９３に係止される（図１〜図３参照）。同時に、第２シート２の他端部２ｂの内面が、容器９の胴部９２に接する。
延出シート片７と第１シート１の連設部分には、折り目が形成されていないので、第１シート１を容器９の首部９１に挿入したとき、延出シート片７の先端部７ａが、首部９１に接する。このため、第１シート１を首部９１に挿入すると、延出シート片７の先端部７ａが、容器９の段部９３に係止される。
【００２７】
得られた首掛けラベル付き容器１０は、首掛けラベル３の接着部６が首部９１の上方側に位置し、第２シート２が首部９１の前方側に略平坦状となって立ち上がっている。従って、第２シート２に設けられた広告表示が、消費者に見え易い首掛けラベル付き容器１０を提供できる。
【００２８】
また、孔部４を介して首部９１に挿入された第１シート１は、前記接着部６を頂点として、第２シート２に対して略鋭角状となっている。また、第１シート１の他端部１ｂ側において、延出シート片７が、第１シート１の外面に対して鋭角状に起立して容器９の段部９３に係止されている。さらに、第１シート１の一端部１ａ側において、付勢シート片８が、容器９の首部９１を挟んで延出シート片７と対向する位置に係止されている。この付勢シート片８は、側面視略Ｕ字状に湾曲し且つ付勢シート片８の先端部側の内面が容器９に接している。該付勢シート片８は、第１シート１と首部９１の間に介在して、第１シート１の一端部１ａが容器９の首部９１から離れる方向（容器２の径外方向）に、第１シート１を付勢している。
【００２９】
上記首掛けラベル３は、重ねられた第１シート１及び第２シート２が一端部１ａ，１ｂにおいて接着され、且つ第１シート１及び第２シート２が折り目を有しないので、開かれた両シート１，２には、シートの剛性によって、閉じる方向（重なる方向）に力が働いている。
そして、この開いた状態で第１シート１が容器９の首部９１に挿入されているので、第１シート１の他端部１ｂは、容器９側へ引き寄せられる。第１シート１の他端部１ｂが、容器９側へ引き寄せられることによって、延出シート片７が容器９の段部９３に強く当たるようになる。このため、延出シート片７による容器９に対する係止が解除され難く、従って、首掛けラベル３が容器９から外れにくい首掛けラベル付き容器１０を構成できる。
さらに、付勢シート片８が、第１シート１の一端部１ａが容器９から離れる方向に第１シート１を付勢しているので、さらに、延出シート片７が容器９の段部９３側に引き寄せられる。
また、第２シート２の他端部２ｂが、容器９の胴部９２に接しているので、第２シート２が位置ずれし難く、表示部である第２シート２を良好に立ち上がらせることができる。
本発明によれば、首掛けラベル３の容器９に対する装着位置がずれ難く、さらに、首掛けラベル３が容器９から不用意に外れ難い首掛けラベル付き容器１０を提供できる。
【００３０】
上記のように本発明の首掛けラベル３は、容器９に対して安定的に装着できるので、第２シート２に、附属品を具備させることもできる。例えば、おまけを入れた袋、リーフレットを封入した袋などの附属品を、第２シート２に貼付してもよい。
【００３１】
次に、本発明の首掛けラベル付き容器の他の実施形態を示す。
ただし、他の実施形態の説明に於いて、主として上記実施形態と異なる構成及び効果について説明し、上記実施形態と同様の構成などについては、その説明を省略し、用語及び符号を援用することがある。
【００３２】
上記実施形態では、首掛けラベル３の第１シート１及び第２シート２は、別体のシート材からなるが、例えば、図９に示すように、第１シート１及び第２シート２が１枚のシート材から構成されていてもよい。この場合、１枚のシート材を折り返し、折り返し部分の内面を所定幅接着することにより、一端部１ａ，２ａが接着された第１シート１及び第２シート２を構成できる。
【００３３】
また、上記実施形態の首掛けラベル付き容器１０において、付勢シート片８は、側面視略Ｕ字状に湾曲して第１シート１と容器９の首部９１の間に介在されているが、例えば、図１０に示すように、付勢シート片８は、第１シート１の上面に略鋭角状に起立していてもよい。この場合でも、付勢シート片８の剛性によって、第１シート片１を付勢することができる。もっとも、付勢力が大きくなることから、付勢シート片８は、略Ｕ字状に湾曲した状態で第１シート１と容器９の首部９１の間に介在されていることが好ましい。
【００３４】
さらに、上記実施形態では、延出シート片７及び付勢シート片８は、第１シート１の一部分で構成されているが、例えば、図１１に示すように、延出シート片７及び付勢シート片８が第１シート１とは別体のシート材で構成されていてもよい。この場合、第１シート１の面内に孔部４を穿設し、この孔部４内へ延出シート片７及び付勢シート片８の先端部が対向して臨み出るように、別体の延出シート片７及び付勢シート片８の後端部を、前記孔部４の対向する縁部にそれぞれ接着すればよい。好ましくは、図１１に示すように、別体の延出シート片７及び付勢シート片８は、第１シート１の内面側に配置される。
【００３５】
さらに、上記実施形態では、両シートは、平面視略矩形状に形成されているが、例えば、平面視略楕円形状、平面視略円形状、平面視略ハート形状などの所望の形状に形成してもよい。
【００３６】
また、上記実施形態の首掛けラベル３において、第２シート２が、２枚以上のシート材が剥離可能に弱接着された積層シートで構成されていてもよい。このように第２シート２を剥離可能な複数のシート材で構成すれば、そのシート材の重ね合わせ面に懸賞情報を表示しておくことにより、籤や懸賞を提供するキャンペーンラベルとしての機能を首掛けラベル３に付加できる。
【図面の簡単な説明】
【００３７】
【図１】本発明の１つの実施形態に係る首掛けラベル付き容器の側面図。
【図２】同正面図。ただし、薄墨塗り部分は、接着部を示す（他の図も同様）。
【図３】図２のＩ−Ｉ線において首掛けラベルのみを切断した状態で表した一部断面図。
【図４】本発明の１つの実施形態に係る首掛けラベルの平面図。
【図５】同背面図。
【図６】図４のＩＩ−ＩＩ線断面図。
【図７】両シートを開けた状態の首掛けラベルの側面図。
【図８】首掛けラベルを容器に装着する過程を表した側面図。
【図９】本発明の他の実施形態に係る首掛けラベルの断面図。
【図１０】本発明の他の実施形態に係る首掛けラベル付き容器の側面図。
【図１１】本発明の他の実施形態に係る首掛けラベルの断面図。
【符号の説明】
【００３８】
１…第１シート、１ａ…第１シートの一端部、１ｂ…第１シートの他端部、２…第２シート、２ａ…第２シートの一端部、２ｂ…第２シートの他端部、３…首掛けラベル、４…孔部、５…切り目、６…接着部、７…延出シート片、８…付勢シート片、９…容器、９１…容器の首部、９２…容器の胴部、９３…容器の段部、１０…首掛けラベル付き容器
【図１】
0005205091.tif 000002
【図２】
0005205091.tif 000003
【図３】
0005205091.tif 000004
【図４】
0005205091.tif 000005
【図５】
0005205091.tif 000006
【図６】
0005205091.tif 000007
【図７】
0005205091.tif 000008
【図８】
0005205091.tif 000009
【図９】
0005205091.tif 000010
【図１０】
0005205091.tif 000011
【図１１】
0005205091.tif 000012